(57)【要約】【課題】鉢植えの給水に於いて、通常シャワー・如雨露等で、手間をかけて行っていたのを、簡単な方法で、水を無駄にする事無く給水出来、あらゆる植物の給水に適合出来る構造の鉢セットにする。【解決手段】鉢本体１の土の途中より下部にかけて上部開放の中仕切カップ３を複数個並べて、各中仕切カップ３下部より給水口を集約して外部への接続ジョイント６を設けた鉢で、中仕切カップ３の外の土は、鉢の下部より排水出来る様にした二重構造の鉢である。中仕切カップ３内の土は給水タンク７の液面レベルに応じて給水され、土の自己浸透作用で全般に吸水される様になっており植物が消費した分、蒸発等で減った分の水のみが補給される様になっている。又、中仕切カップ３の数を変更する事により土の含水量の設定が出来る。【選択図】        図１
2004201614.tif 000002
【特許請求の範囲】
【請求項１】
鉢の土の層下部に上部開放のカップを水平方向に一定間隔をあけて複数個並べ、それぞれのカップ下部に給水口があり、これらの口をまとめて外部接続口を設けた鉢に於いて、カップ内の土は外部接続口に給水タンク等を接続する事により給水出来る様にし、カップ外の土は下部より排水出来る様にした二重構造の鉢。
【請求項２】
請求項１に於いて、カップを取り外し出来る構造とし、カップを外した所に閉塞栓等を取り付ける事により漏れなくし、カップの数を変える事により土の水分量を変更出来る様にした構造の鉢。
【発明の詳細な説明】
【０００１】
【発明が属する技術分野】
本発明は、鉢内の植物への給水作業を効率的に且つ簡単に行える様にした鉢構造とその給水方法に関する。
【０００２】
【従来の技術】
鉢に給水する場合、如雨露又はシャワー等で散水して給水しており、植物の成長に伴い注意深く散水する必要があった。又、余分に給水しても鉢底から排出するだけで保水量にも限界があった。
【０００３】
特に夏場で水の消費量が多い時は給水回数も多くする必要があり、給水するのに多大なる手間をかけていた。
【０００４】
【発明が解決しようとする課題】
鉢に給水する場合、散水した水が鉢底より排出されたりしてしまう為、水を無駄にしてしまうという問題点があった。特に夏場の渇水時には生育の為に貴重な水を無駄にしてしまうという問題点があった。
【０００５】
植物の生育が進むにつれ給水回数も多くなり、又植物を傷めない様に散水する必要もあり単純な作業にもかかわらず、非常に手間がかかるという問題点があった。
【０００６】
鉢の下面を水に浸けて水持ちを良くする方法があるが、ほっておくと土の通気性が悪くなり根腐れを起こすという問題点があった。
【０００７】
広い面積の鉢に於いて給水する場合、１カ所の給水カップからではカップから離れた所では水分が少なくなってしまい、どうしても均等に吸水出来ないという問題点があった。
【０００８】
【課題を解決するための手段】
この発明は、鉢内の土の下部にカップを複数個設置し、カップ下部の給水口より外部給水タンクに接続して給水する事により従来の問題点を解決したものである。
【０００９】
この鉢に土を入れる事により、土の途中よりカップの内と外で二つに分かれた構造の鉢となる。カップの外側は鉢の底より排水出来る様になっている。カップの内側は下部の給水口より外部の給水タンクに接続されており、給水タンクより給水される。給水タンクの液面が鉢内のカップ高さを超えない限り、給水タンクの水が鉢外へ流出する事は無い。
【００１０】
鉢内のカップへの給水は、給水タンクの液面レベルに応じて給水され、給水された水は、土の自己浸透作用により回りの土に吸水されバランス状態となる。給水の原理は、植物が水分吸収した分、及び外部へ蒸発した分だけ水分が減少し、減少した分だけ給水タンクより補給され一定の水分量を保つことが出来る。散水等による給水方法に比べ、水の無駄な消費を防止出来る。
【００１１】
鉢への給水は、外部の給水タンクより鉢内のカップを通して土の自己浸透作用により給水を行う為、給水タンクに水を注入するだけで植物を痛める事無く給水出来る。又、カップの外側の土は、鉢の底より排水構造となっている為通気性が確保出来き、根腐れを起こし難くなっている。
【００１２】
土の吸水量は、使用する土の粒度、成分等により自己浸透力が変化する。育成する植物により最適な土の成分構成が決まり、且つ育成に適した含水量も決まる。育成する植物に応じた土の含水量の設定は、鉢の中に設けるカップの数を変える事により簡単に設定出来る様になる。
【００１３】
鉢内のカップの数を変える事により、カップから周囲の土に自己浸透する分散密度を変える事が出来、鉢内の水分量の調整が出来る様になる。鉢内の水分量を減らす場合、カップを一定間隔で間引く事によりバランス良く水分量を減らす事が出来る。
【００１４】
【発明の実施の形態】
この発明は、鉢の下部に複数のカップを一様に並べ各々のカップの下部に給水口を設け、給水タンクに接続出来る様にした鉢構造である。カップの外の土は、普通の鉢の様に底より排水出来る様になっている。カップ内の土は、外部の給水タンク液面高さに応じて給水出来る様になっている。
【００１５】
鉢内の土は、土の中程より下部にかけてカップで分かれた構造の鉢となっており、カップ内の土を通して土の自己浸透作用により全般に吸水する様になっている。土の吸水は、給水タンクの液面高さに応じてカップ内の土に水が伝搬し、給水タンク液面高さ近く迄が水飽和状態の土になり、この部分より土の自己浸透作用で回りの土に吸水される様になる。
【００１６】
土の吸水量は、カップ内の水飽和状態の土から離れるに従い低下する。即ち、カップの数を調整する事により吸水密度を変える事が出来、これにより鉢の土の含水量が調整出来る。
【００１７】
又、別の方法として土の水分量は、カップ内の水飽和状態の土に達する高さレベルを変えてやる事により変化させる事が出来る。即ち給水タンクの液面高さレベルにより、カップ内の水飽和状態の土の高さレベルも変化する様になり、土の含水量が調整出来る様になる。
【００１８】
複数個のカップは、下部の接続部で１箇所に集合して、外部接続口となっている。この接続口に給水タンクを接続する事により簡単に給水システムを組む事が出来る。又、給水タンクに倒立式の補助タンクを追加すれば、簡単な自動補給システムが出来る。
【００１９】
複数の鉢の外部接続口をホースで繋げて、１つの給水タンクに接続する事により、１箇所の給水タンクで複数の鉢の給水管理が出来る様になる。給水タンクにボールタップ等を接続する事により、完全自動給水システムを簡単に組む事が出来る。
【００２０】
【実施例１】
この発明の実施例である図１について説明する。鉢本体１の中に完全に埋まる様に中仕切カップ３が有る。中仕切カップ３で仕切られた内側の部屋は、下部の中仕切メッシュ４を通し底仕切２により一つにまとめられ接続ジョイント６に繋がっている。
【００２１】
接続ジョイント６は、鉢本体１の開口部より外部に出ており、外部給水接続が出来る様になっている。底仕切２は、中仕切カップ３から接続ジョイント６への導入経路とは別に多数の穴が明いており鉢内の土からの排水口となり、鉢本体１と接続ジョイント６の開口部の隙間より外部に排出する様になっている。
【００２２】
図２は、図１の組立図を示している。中仕切カップ３内には中仕切メッシュ４が挿入されており、土の流出を防止している。底仕切２には、複数個の中仕切カップ３の取付口が有り、中仕切カップ３の不要な所には閉塞栓５を取り付けている。これにより、中仕切カップ３の数を調整出来、中仕切カップ３の数により給水密度を変更する事が出来る。
【００２３】
接続ジョイント６に外部給水接続をしない場合は、接続ジョイント６が排水口となり、通常の鉢と同様に鉢内の下面より排水出来る様になる。又、図２に示すように接続ジョイントのバリエーションとして、オーリングジョイント６ａ、ストレートホースジョイント６ｂ、エルボホースジョイント６ｃ、チーズホースジョイント６ｄ、の例をあらわしている。ジョイントと底仕切２の接続部はパッキンを挟んでネジ込む事により簡単に取替えが出来る。接続ジョイントを交換する事により、色々な連結システムを組む事が出来る。
【００２４】
【実施例２】
図３の実施例は、鉢本体１に給水タンク７をセットした状態を示す。給水タンク７は、接続ジョイントのオーリングジョイント６ａにより底仕切２と接続されており、鉢本体１と給水タンク取付ビス１２により固定されている。
【００２５】
この方法により給水タンク一体形の鉢となり、又、給水タンク取付ビス１２を外す事により給水タンク７を簡単に取り外す事が出来る。鉢への給水は、給水タンク７に水を補給する事により給水出来る。又、鉢内の土の含水状態も給水タンク７の液面レベルにより把握出来、液面確認窓８により外部からも確認出来る様になっている。この方法により給水の手間と回数を大幅に軽減する事が出来た。
【００２６】
図４は、図３の組立図を示している。底仕切２には、オーリングジョイント６ａが取り付けてある。オーリングジョイント６ａと給水タンク７とがオーリングによりシール接続され、給水タンク取付ビス１２により鉢本体１と固定される様になっている。
【００２７】
【実施例３】
図５は、給水タンク７に補助タンク１１をセットした実施例を示す。これにより、給水タンク７の給水量が補助タンク１１の水量分増量する事が出来、補給の回数を減らす事が出来る。又、補助タンク１１は倒立式のタンクになっており、給水タンク７への補給は、補助タンク１１内に水が無くなる迄一定レベルに保たれ、鉢内の土のしめり具合も一定に保持出来る。
【００２８】
【実施例４】
接続ジョイント６にホースジョイントを組み付ける事により複数の鉢を繋ぐ事が出来、１つの給水タンクで複数の鉢に給水出来る様になる。末端の鉢に図２のストレートホースジョイント６ｂ、又はエルボホースジョイント６ｃを取り付け、次からの鉢にチーズホースジョイント６ｄを取り付る事により、複数の鉢をホースで繋ぐ事が出来、最後の鉢に給水タンクを繋げば全体の鉢に給水する事が出来る。
【００２９】
給水タンクを大型のタンクにすれば、１箇所の集中管理で複数の鉢の植物を育成する事が出来る。又、タンクにボールタップ等による自動給水設備を設ければ、複数の鉢の集中自動給水システムを簡単に組む事が出来る。
【００３０】
【発明の効果】
この発明により、植付け面積の広い鉢に於いても、複数個の中仕切カップ３により、給水の分散バラツキが押さえる事が出来る。又、中仕切カップ３のセットする数を変更する事により、カップからの給水密度が変える事が出来、育成する植物に応じた土の水分量の設定が出来る様になった。
【００３１】
鉢の接続ジョイント６に給水タンク７を接続する事により給水タンク液面高さに応じた鉢内給水が可能になり、給水タンク７の液面をチェックするだけで水分量の確認が出来る様になった。給水作業も給水タンク７に減った水の分を補給するだけで済み、水を無駄にする事無く、植物を痛める事無く誰でも簡単に給水作業が出来る様になった。
【００３２】
又、接続ジョイント６と給水タンク７を切離す事により、接続ジョイント６を通して給水していたのが逆に排水口となり、通常の鉢と同様に鉢下全体が排水出来る様になる。定期的に切離す事により鉢内の給水部クリーニングが出来、根腐れ防止効果に役立つ。
【００３３】
給水タンク７に倒立式の補助タンク１１をセットする事により、水量の増量が出来るだけでなく、補助タンク１１の水が無くなる迄給水タンク液面高さを一定に保てる為、鉢内の水分量を一定に保持する事が出来る。仕事や旅行等で家を空ける場合、給水出来ずに植物を枯らす事無く安心して出かける事が出来る様になった。
【００３４】
鉢の接続ジョイント６にエルボホースジョイント６ｃやチーズホースジョイント６ｄを組み込む事により、複数の鉢をホースにて連結する事が出来る。連結した１箇所に給水タンクを接続する事で複数の鉢の給水が可能となり、給水作業の集約が出来、作業の大幅な簡略化が可能となった。
【図面の簡単な説明】
【図１】給水口付き植物栽培用の鉢の全体図である。
【図２】給水口付き植物栽培用の鉢の部品図である。
【図３】給水口付き植物栽培用の鉢に給水タンクを接続した図である。
【図４】鉢に給水タンクを接続した組立図である。
【図５】給水タンクを接続した鉢に補助タンクをセットした図である。
【符号の説明】
１    鉢本体
２    底仕切
３    中仕切カップ
４    中仕切メッシュ
５    閉塞栓
６    接続ジョイント
６ａ  オーリングジョイント
６ｂ  ストレートホースジョント
６ｃ  エルボホースジョイント
６ｄ  チーズホースジョイント
７    給水タンク
８    液面確認窓
９    土
１０    水
１１    補助タンク
１２    給水タンク取付ビス
【図１】
2004201614.tif 000003
【図２】
2004201614.tif 000004
【図３】
2004201614.tif 000005
【図４】
2004201614.tif 000006
【図５】
2004201614.tif 000007